(57)【要約】  相互作用式平衡装置はバックパック本体、左右の肩ひもと平衡装置を備え、左右の肩ひもの頂端と末端は平衡装置に別々に連接されるか、取り外し可能なように平衡装置に別々に連接さる。平衡装置は上アッセンブリと下アッセンブリから構成される。上アッセンブリはバックパック本体に連接され、かつ下アッセンブリから支持される。左右の肩ひもは上アッセンブリの旋転機構に沿って移動可能である。下アッセンブリはバックパック本体に連接され、バッフル板とバッフル板の中空の中間層に固定される移動装置とから構成される。上下のアッセンブリは同時使用するか、別々に単独使用することができる。【選択図】図１
2008544779.tif 000002
【特許請求の範囲】
【請求項１】
物を背負うことに用いられるバックパック本体（３）、左右の肩ひも（４、４’）及び平衡装置を備え、左右の前記肩ひも（４、４’）の頂端と末端とは前記平衡装置に別々に連接されるか又は取り外し可能に別々に連接される相互作用式平衡装置であって、
前記平衡装置は、
前記バックパック本体（３）に連接され、バッフル板（１）と前記バッフル板（１）の中空の中間層内に固定される移動装置（２）とから構成される下アッセンブリ（５）と、
プラスチックまたは金属から構成されるプレートにより前記バックパック本体（３）上に連接され、かつ前記下アッセンブリ（１）から支持される上アッセンブリ（６）と、
を備え、
左右の前記肩ひも（４、４’）は、前記上アッセンブリ（６）上の旋転機構（６１）に沿ってスライド可能であることを特徴とする相互作用式平衡装置。
【請求項２】
前記移動装置（２）は、前記バッフル板（１）内に形成される中空の中間層内に装着され、かつ少なくとも一つのローラー（２１）と左右両側の固定輪（２２，２２’）とを有し、
スライドベルト（２３）は、左右の前記肩ひも（４、４’）の牽引により前記ローラー（２１）及び前記固定輪（２２、２２’）に沿って位置付け用通路（１３、１３’）内を左右にスライド可能であることを特徴とする請求項１に記載の相互作用式平衡装置。
【請求項３】
前記旋転機構（６１）は、軸心によって回転する位置付け旋転輪を有し、
左右の前記肩ひも（４、４’）は、外輪径に沿ってアッセンブリ上の通路（６２）内を左右にスライド可能であることを特徴とする請求項１に記載の相互作用式平衡装置。
【請求項４】
前記バッフル板（１）は、中央部に配置されるメーンボード（１１）と左右のスライドボード（１２、１２’）とから構成され、二層の中空の中間層の構造を呈し、
前記左右のスライドボード（１２、１２’）は、外部へと連続しかつ前記スライドベルト（２３）をスライドさせる前記位置付け用通路（１３、１３’）を下部にそれぞれ有することを特徴とする請求項１に記載の相互作用式平衡装置。
【請求項５】
前記ローラー（２１）は、その上に固定されるスプリングを介して前記バッフル板（１１）に連接されることを特徴とする請求項２に記載の相互作用式平衡装置。
【請求項６】
前記スライドベルト（２３）は、左右の前記肩ひも（４、４’）の末端に別々に連接されるか、別々に取り外し可能に連接されることを特徴とする請求項２に記載の相互作用式平衡装置。
【請求項７】
前記ローラー（２１）は、一つまたは二つ配置することが可能であり、前記スライドベルト（２３）のスライドは前記ローラー（２１、２１’）間に配置される開閉制御押しボタン（２４）により制御されることを特徴とする請求項２に記載の相互作用式平衡装置。
【請求項８】
前記開閉制御押しボタン（２４）は、前記ローラー（２１）内に装着され、
前記スライドベルト（２３）は、前記開閉制御押しボタンを貫通し、かつ左の前記固定輪（２２）と右の前記固定輪（２２’）とに別々に連接されることを特徴とする請求項７に記載の相互作用式平衡装置。
【請求項９】
前記旋転機構（６１）は、周辺に前記肩ひも（４、４’）をスライドさせる前記通路（６２）を有することを特徴とする請求項３に記載の相互作用式平衡装置。
【請求項１０】
前記旋転機構（６１）は、前記肩ひも（４、４’）が外輪径上をスライドすることを阻止可能な開閉機構を有することを特徴とする請求項３に記載の相互作用式平衡装置。
【発明の詳細な説明】
【技術分野】
【０００１】
本発明は日常に使用されているバックパック上の背負子に関し、詳しくは、バックパックに使用される相互作用式平衡装置に関する。
【背景技術】
【０００２】
バックパックで比較的重い物体を背負うことがよくある。バックパックは二つの肩ひもが左右の肩の上を跨ることが一般的であるため、人体の肩が上下に動いて肩ひもが引っ張られる場合、肩ひもは、動きに伴いバックパックの重心を変える。従って、人の両肩が背負う重量が平均しないだけでなく、使用者の肩が上向きまたは下向き（怒り肩または撫で肩）である場合、バックパックの重量は動いている肩に集中してしまうため、使用者は動きにくくなり、バックパックの重心が偏移することが原因でバランスを失ってしまう。また長期間にわたって受ける重量圧力と負荷とのバランスが取れてない場合、肩の筋肉が影響を受けたり腰部が損傷されたりする事態を招くため、腰椎、脊髄病などが発生する。またバックパックの重心のバランスを保つことを可能とするスライド装置は、肩ひものバックパックの底部に位置するスライドベルトをスライドさせるものであるが、スライドベルトはスムーズにスライドできずに絡みやすいという欠点があるため、バックパックに背負った重量が重過ぎる場合、この圧力はスライド機能に影響を与えるだけでなく、バックパックのバランスの重心にも影響を与える。
【発明の開示】
【発明が解決しようとする課題】
【０００３】
上述の問題を解決するため、本発明の主な目的は、バックパックの重心を変えず安定させることを可能にする相互作用式平衡装置を提供することである。本発明は、構造が簡単で、使用に便利で、使用者が動いている時にでも、両肩に背負う重量のバランスを取ったり、背部筋肉が受ける力を均等にしたりすることが可能なだけでなく、筋肉が受ける力が均等でないことが原因で損傷をうけてしまうような事態を減少させることが可能な相互作用式平衡装置を提供することを目的とする。
【課題を解決するための手段】
【０００４】
上記目的を達成するため、本発明に係る相互作用式平衡装置は、バックパック本体、左右の肩ひも及び平衡装置を備え、左右の肩ひもの頂端と末端とは平衡装置に別々に連接されるか、取り外し可能に平衡装置に別々に連接される。その特徴は平衡装置が上アッセンブリと下アッセンブリから構成されることである。
上アッセンブリはブラスチックまたは金属から構成されるプレートによりバックパック本体に連接され、かつ下アッセンブリから支持され、左右の肩ひもは上アッセンブリの旋転機構に沿ってスライド可能である。
【０００５】
下アッセンブリはバックパック本体に連接され、バッフル板とバッフル板の中空の中間層に固定される移動装置とから構成される。
移動装置はバッフル板内に形成される中空の中間層内に装着され、少なくとも一つのローラーと左右両側の固定輪とを有し、スライドベルトは左右の肩ひもの牽引によりローラー及び固定輪に沿って位置付け通路内を左右にスライド可能であり、ローラーはその上に固定されるスプリングによりバッフル板に連接される。
【０００６】
旋転機構は軸心によって回転する位置付け旋転輪を有し、旋転輪は周辺に肩ひもをスライドさせる通路を有し、左右の肩ひもは外輪径に沿って通路内を左右にスライド可能である。
ローラーは、一個または一組配置することが可能であり、スライドベルトはローラー間に配置される開閉制御押しボタンで調節制御を行うことにより肩ひもを引き締めたりスライドさせたりすることが可能である。
【０００７】
バッフル板は中央部に配置されるメーンボードと左右のスライドボードとから構成され、バッフル板は二層の中空の中間層の構造を呈し、左右のスライドボードは下部に外部へと連続する位置付け機構の通路を別々に有し、スライドベルトは通路に沿ってスライドし、かつスライドベルトは通路内から肩ひもの末端まで延伸し、それに連接することが可能である。
【０００８】
上述した技術手段により、上下のアッセンブリはバックパックの後部に固定することが可能であり、また下アッセンブリはバックパックの底部、背部の内層または外層に固定または取り外し可能に装着することが可能である。使用者の肩が上下、左右に動く場合、肩ひもはスライドベルトを移動し、かつ下アッセンブリ内の移動装置によって左右にスライドすることが可能である。上アッセンブリ内の旋転機構は肩ひもを通路内においてスライドさせると同時に左右の肩ひもの長さを調節することによりバックパックの重心を適切に調整することが可能である。従って、バックパックの重心を両肩に均等に分けて相互作用の均衡を取ることが可能となる。同様に上アッセンブリの旋転機構は肩ひもを旋転機構内においてスライドさせることにより相互作用の均衡を取る目的を達成することが可能である。
【発明を実施するための最良の形態】
【０００９】
（第１実施形態）
本発明の第１実施形態による相互作用式平衡装置は、図１に示すように、バックパック本体３、左右の肩ひも４、４’及び平衡装置を備える。左右の肩ひも４、４’の頂端と末端とは平衡装置に別々に連接されるか、取り外し可能に平衡装置に別々に連接される。平衡装置は上アッセンブリ６と下アッセンブリ５から構成される。
下アッセンブリ５はバックパック本体３に連接され、バッフル板１とバッフル板１の中空の中間層内に固定される移動装置２とから構成される。
【００１０】
上アッセンブリ６はプレートによりバックパック本体３上に連接され、かつ下アッセンブリ５から支持され、左右の肩ひも４、４’は上アッセンブリ６上の旋転機構６１に沿ってスライド可能である。
下アッセンブリ５はバッフル板１によりバックパック本体３上に固定され、バッフル板１は中空の中間層の構造を呈し、その中に固定される移動装置２を有する。移動装置２は中間に位置するローラーと両側に配置される固定輪とから構成される。スライドベルトは左右の肩ひも４、４’の牽引によりローラーと固定輪の間をスライド可能である。
【００１１】
上アッセンブリ６はバックパック本体３に連接され、旋転機構６１は回転輪により軸心に沿って回転し、回転輪の外輪径とプレートの間には通路６２を有し、肩ひもは回転輪に沿って左右にスライドし、相互作用を生じることによりバックパックの重心を地面に垂直に保持することが可能である。
肩ひも４、４’と下アッセンブリ５のスライドベルトと上アッセンブリ６と接合する方法は連接固定方法または取り外し可能な連接方法である。
【００１２】
図２、図３及び図４に示すように、下アッセンブリ５はバッフル板１を有し、バッフル板１は中空の中間層の構造を呈する。バッフル板１はメーンボード１１とそれに連接される左右のスライドボード１２、１２’とから構成される。左右のスライドボード１２、１２’はメーンボード１１の両側に連接され、かつメーンボード１１に沿って左右にスライド可能であり、またスライドボード１２、１２’は下部に外部へと連続する位置付け用通路１３、１３’を別々に有し、移動装置２の内部から延伸するスライドベルト２３は左右の肩ひも４、４’の末端に連接するか、取り外し可能に連接することが可能である。メーンボード１１はメーンボード１１の支持力を強化可能な複数の補強リブ１１１を有する。
【００１３】
移動装置２はローラー２１と左右両側の固定輪２２、２２’とを有し、ローラー２１はスプリングによりバッフル板１に固定され、スライドベルト２３はチェーンである。スライドベルト２３は位置付け用通路１３、１３’内から外部へ延伸され、左右の肩ひも４、４’の末端に連接されるため、スライドベルト２３は左右の肩ひもの牽引によりローラー２１及び固定輪２２、２２’に沿ってスライドし、バックパックの重心を変えないように保持することが可能である。
【００１４】
（第２実施形態）
本発明の第２実施形態による相互作用式平衡装置の移動装置の模式図を図５に示す。第２実施形態の移動装置２は、第１実施形態における説明のほかに、二つのローラー２１、２１’を配置し、かつ二つのローラー２１、２１’間に開閉制御弁２４を増設し、弁の開閉押しボタンによりスライドベルト２３のスライドを制御する。使用の際に開閉制御弁２４が解放状態となる場合、スライドベルト２３は自由に左右にスライド可能である。開閉制御弁２４が閉鎖状態となる場合、スライドベルト２３は引き締められるため、スライドベルト２３はスライドができなくなり、肩ひも４、４’のスライド作用はロックされる。
【００１５】
（第３実施形態）
本発明の第３実施形態による相互作用式平衡装置の移動装置の模式図を図６に示す。第３実施形態の移動装置のスライドベルト２３はベルト、プラスチック製ベルト、プラスチック製棒、金属製棒などであり、第１実施形態における説明のほかに、ローラー２１は内部に開閉制御弁２４を有し、スライドベルト２３はローラー２１と開閉制御弁２４を貫通し、開閉制御弁２４は、上述のベルトまたは棒体からなるスライドベルト２３を制御可能である。
図７に示すように、ローラー２１上の開閉制御弁２４はスプリングであってもよい。
【００１６】
（第４実施形態）
本発明の第４実施形態による相互作用式平衡装置の下アッセンブリの移動装置を図８、図９及び図１０に示す。移動装置２は、第３実施形態における説明のほかに、内部に開閉制御弁２４を有し、固定ユニット２１は移動装置２内に固定され、かつ開閉制御弁２４の挿入により閉鎖または解放を行うことが可能である。また固定ユニット２１は回転軸を有し、スライドベルト２３、２３’は回転軸に沿って左右両側の固定輪２２、２２’によりスライド可能である。
使用の際に左右のスライドベルト２３、２３’を固定ユニット２１に沿ってスライドさせることが可能である。肩ひもの長さを固定する場合、手で開閉制御弁２４を操作することによりスライドベルト２３、２３’を所定の位置上に引き締めてバックパックを肩に均等にかけることが可能である。
【００１７】
（第５実施形態）
本発明の第５実施形態による相互作用式平衡装置の上アッセンブリを図１１と図１２に示す。上アッセンブリ６はバックパックの背面に固定され、旋転機構６１は中間部が回転軸６３によって上アッセンブリ６に接合されるひも状の揺動ユニットである。肩ひも４、４’の頂端は旋転機構６１の上部の両側上の互いに対応する端に連接され、肩ひも４、４’の末端はバックパックの下端まで延伸され、下アッセンブリに連接されるか或いは互いに連接される。肩ひも４、４’は、外力作用により旋転機構６１を引っ張り、回転軸６３に沿って上下、左右の調整を行うことが可能であるのに対し、旋転機構６１は、テコ原理に基づいてバックパックの重心を地面に垂直にし、相互作用の均衡が取れる効果を達成することが可能である。
【００１８】
使用の際、人体の両肩が動いている場合、バックパックは重心作用下で揺動を生じ、肩ひもに連接される揺動機構は回転軸６３に沿って重心に伴い適切な位置まで移動することによりバックパックを地面に垂直にし、人体の両肩が受ける力の均衡を図る。下アッセンブリは単独にバックパックに固定して使用するか、下アッセンブリとの組み合せにより使用することが可能である。
【００１９】
本発明の実施形態における上下のアッセンブリは同時に使用するか、別々に単独に使用することが可能である。両者を同時に使用する場合、動きの角度と円滑性を大いに高めることが可能である。また本発明の実施形態は使用者の需要に応じて単独に下アッセンブリを取り付けるか、上下のアッセンブリを同時に取り付けることが可能である。その取り付け方法は円滑かつ多様化であるため、バックパックの後部、内層、外層または支持部内に固定するか、直接バックパック上に取り付けることが可能である。
【００２０】
本発明は適用範囲が比較的広いため、異なるバックパックに取り付けたり、おんぶ紐、キャリーバックパック、カメラ用バックパック、軍用バックパックまたは消防隊員が酸素瓶を背負う際に使用する背負子などにすることが可能である。また本発明は使用者の両肩が受ける力の均衡を保つことが可能なだけでなく、移動装置の開閉制御弁で肩ひものスライドを固定することにより人体の消耗を確実に減少させ、人体の動きを自由自在かつ円滑に保つことが可能である。
【図面の簡単な説明】
【００２１】
【図１】本発明の第１実施形態による相互作用式平衡装置を示す模式図である。
【図２】本発明の第１実施形態による相互作用式平衡装置のバッフル板を示す斜視図である。
【図３】本発明の第１実施形態による相互作用式平衡装置のバッフル板を示す斜視図である。
【図４】本発明の第１実施形態による相互作用式平衡装置の移動装置を示す模式図である。
【図５】本発明の第２実施形態による相互作用式平衡装置の移動装置を示す模式図である。
【図６】本発明の第３実施形態による相互作用式平衡装置の移動装置を示す模式図である。
【図７】本発明の第３実施形態による相互作用式平衡装置の移動装置を示す模式図である。
【図８】本発明の第４実施形態による相互作用式平衡装置の移動装置を示す模式図である。
【図９】本発明の第４実施形態による相互作用式平衡装置の移動装置において肩ひもが引き締められた状態を示す模式図である。
【図１０】本発明の第４実施形態による相互作用式平衡装置の移動装置において肩ひもが引っ張られた状態を示す模式図である。
【図１１】本発明の第５実施形態による相互作用式平衡装置を示す模式図である。
【図１２】本発明の第５実施形態による相互作用式平衡装置の揺動機構を示す側面図である。
【符号の説明】
【００２２】
１：バッフル板、２：移動装置、３：バックパック本体、４，４’：肩ひも、５：下アッセンブリ、６：上アッセンブリ、１１：メーンボード、１２、１２’：スライドボード、１３、１３’：位置付け用通路、２１、２１’：ローラー、２１：固定ユニット、２２、２２’：固定輪、２３：スライドベルト、２３、２３’：肩ひも、２４：開閉制御弁、６１：旋転機構、６２：通路、６３：回転軸、１１１：補強リブ
【図１】
2008544779.tif 000003
【図２】
2008544779.tif 000004
【図３】
2008544779.tif 000005
【図４】
2008544779.tif 000006
【図５】
2008544779.tif 000007
【図６】
2008544779.tif 000008
【図７】
2008544779.tif 000009
【図８】
2008544779.tif 000010
【図９】
2008544779.tif 000011
【図１０】
2008544779.tif 000012
【図１１】
2008544779.tif 000013
【図１２】
2008544779.tif 000014
【国際調査報告】
2008544779.tif 000015
2008544779.tif 000016
2008544779.tif 000017
2008544779.tif 000018
2008544779.tif 000019
2008544779.tif 000020